(57)【要約】【課題】  途中に紐を掛けて曲げたロープを走行できるロープ走行具と、これを利用した移動式係留装置の提供。【解決手段】  ロープ４と、ロープを走行するロープ走行具５とを備え、ロープ走行具は、上下２つの滑車１ａ，１ｂと、滑車を回転自在に支持するフレーム２とを備え、上下の滑車は、磁力により外周縁部で互いに吸着しており、上下の滑車の間にロープ４を通してあり、フレームは、下部に犬６を繋ぐ繋ぎ紐７の端部を係止する繋ぎ紐係止部８を有すると共に、滑車の一方の側面側の上下の滑車の軸３ａと軸３ｂの間の部分が開放していることを特徴とする。【選択図】      図１
2007295810.tif 000002
【特許請求の範囲】
【請求項１】
上下２つの滑車（１ａ，１ｂ）と、滑車を回転自在に支持するフレーム（２）とを備え、上下の滑車は、磁力により外周縁部で互いに吸着し、フレームは、滑車の一方の側面側の上下の滑車の軸（３ａ）と軸（３ｂ）の間の部分が開放しており、上下の滑車の間にロープ（４）を通し、ロープを走行することを特徴とするロープ走行具。
【請求項２】
ロープ（４）と、ロープを走行するロープ走行具（５）とを備え、ロープ走行具は、上下２つの滑車（１ａ，１ｂ）と、滑車を回転自在に支持するフレーム（２）とを備え、上下の滑車は、磁力により外周縁部で互いに吸着しており、上下の滑車の間にロープ（４）を通してあり、フレームは、下部に係留対象（６）を繋ぐ繋ぎ紐（７）の端部を係止する繋ぎ紐係止部（８）を有すると共に、滑車の一方の側面側の上下の滑車の軸（３ａ）と軸（３ｂ）の間の部分が開放していることを特徴とする移動式係留装置。
【請求項３】
繋ぎ紐係止部（８）が、フレーム（２）の開放した側と反対側の側方に張り出して設けてあり、繋ぎ紐（７）の端部をフレームの開放した側と反対側の側方にスライドできるようにしていることを特徴とする請求項２記載の移動式係留装置。
【請求項４】
繋ぎ紐係止部（８）に付勢部材（１８）が取付けてあり、付勢部材は繋ぎ紐（７）の端部を滑車（１ｂ）の下方位置に向けて付勢していることを特徴とする請求項３記載の移動式係留装置。
【請求項５】
係留対象（６）が犬であることを特徴とする請求項２，３又は４記載の移動式係留装置。
【発明の詳細な説明】
【技術分野】
【０００１】
本発明は、途中に紐を掛けて曲げたロープを走行できるロープ走行具と、これを利用した犬等の移動式係留装置に関するものである。
【背景技術】
【０００２】
従来、犬を飼っていても十分に散歩に連れて行くことができないような人のために、家の敷地にロープを張り、そのロープを滑車に通し、滑車に犬の首輪に繋いだ紐の端部を引っ掛けておき、滑車がロープを走行することで犬がロープに沿って自由に動けるようにしたものがあった。  
【発明の開示】
【発明が解決しようとする課題】
【０００３】
従来、ロープはまっすぐにしか張れなかったので、家の敷地が狭い場合にはロープを長く張ることができず、犬の動ける範囲を広くするのが困難であった。ロープの途中に紐を掛けてロープを途中で曲げ、家の周りを囲むようにロープを張れば、ロープを長く張ることができるが、従来の滑車はその紐を超えて走行することができなかった。本発明は以上に述べた実情に鑑み、途中に紐を掛けて曲げたロープを走行できるロープ走行具と、これを利用した移動式係留装置の提供を目的とする。
【課題を解決するための手段】
【０００４】
上記の課題を達成するために請求項１記載の発明によるロープ走行具は、上下２つの滑車と、滑車を回転自在に支持するフレームとを備え、上下の滑車は、磁力により外周縁部で互いに吸着し、フレームは、滑車の一方の側面側の上下の滑車の軸と軸の間の部分が開放しており、上下の滑車の間にロープを通し、ロープを走行することを特徴とする。
【０００５】
請求項２記載の発明による移動式係留装置は、ロープと、ロープを走行するロープ走行具とを備え、ロープ走行具は、上下２つの滑車と、滑車を回転自在に支持するフレームとを備え、上下の滑車は、磁力により外周縁部で互いに吸着しており、上下の滑車の間にロープを通してあり、フレームは、下部に係留対象を繋ぐ繋ぎ紐の端部を係止する繋ぎ紐係止部を有すると共に、滑車の一方の側面側の上下の滑車の軸と軸の間の部分が開放していることを特徴とする。
【０００６】
請求項３記載の発明による移動式係留装置は、請求項２記載の発明の構成に加え、繋ぎ紐係止部が、フレームの開放した側と反対側の側方に張り出して設けてあり、繋ぎ紐の端部をフレームの開放した側と反対側の側方にスライドできるようにしていることを特徴とする。
【０００７】
請求項４記載の発明による移動式係留装置は、請求項３記載の発明の構成に加え、繋ぎ紐係止部に付勢部材が取付けてあり、付勢部材は繋ぎ紐の端部を滑車の下方位置に向けて付勢していることを特徴とする。
【０００８】
請求項５記載の発明は、係留対象が犬であることを特徴とする。
【発明の効果】
【０００９】
請求項１記載の発明によるロープ走行具は、磁力により外周縁部で互いに吸着する上下の滑車の間にロープを通し、且つフレームは滑車の一方の側面側の上下の滑車の軸と軸の間の部分が開放しているので、ロープを曲げるためにロープに掛けた紐が上下の滑車の間、及びフレームの開放部を通過し、その紐を超えて走行することができ、しかもロープから外れることがない。
【００１０】
請求項２記載の発明による移動式係留装置は、ロープの途中に紐を掛けて曲げることで、狭いスペースにロープを長く張ることができ、ロープ走行具は、ロープを曲げるためにロープに掛けた紐を超えて曲がったロープの全長を走行し、係留対象が長い距離を移動できる。
【００１１】
さらに請求項３記載の発明によれば、ロープ走行具がロープの曲がり部を通過する際に、繋ぎ紐が引っ張られることで繋ぎ紐の端部がフレームの開放した側と反対側の側方にスライドし、これに伴ってロープ走行具がロープの曲がり部のコーナーの内側に向けて傾くため、ロープ走行具がロープの曲がり部をよりスムーズに通過できると共に、ロープ走行具がロープからより外れにくくなる。
【００１２】
さらに請求項４記載の発明による移動式係留装置は、繋ぎ紐係止部に付勢部材が取付けてあり、付勢部材は繋ぎ紐の端部を滑車の下方位置に向けて付勢していることで、ロープの直線部を走行しているときにロープ走行具の姿勢を略垂直に維持し、ロープの曲がり部を通過する際にはロープ走行具を確実に傾かせることができる。
【００１３】
請求項５記載の発明によれば、家の敷地が狭い場合でも犬が長い距離を自由に動き回れるので、散歩に連れていかなくても運動不足になることがなく、係留によるストレスも和らげられる。
【発明を実施するための最良の形態】
【００１４】
以下、本発明の実施の形態を図面に基づいて説明する。図４は、本発明の犬の移動式係留装置の平面図であり、本装置は、家の敷地２１に略水平に張ったロープ４と、ロープ４を走行するロープ走行具５とを備え、ロープ走行具５に犬６を繋ぎ紐７で繋いである。ロープ４は、両端を立木９，９等に結び、ロープ４の途中２箇所を、ロープ４の傍に立てた支柱２０から細い紐１０，１０をロープ４に交差するように掛けて引っ張ることで略直角に曲げ、ロープ４を家１１の周りを囲むように平面視コの字形に張ってある。
【００１５】
図２は、ロープ４の直線部を走行しているときのロープ走行具５の正面図であり、図３は同じくロープ４の直線部を走行しているときのロープ走行具５の側面図である。
ロープ走行具５は、上下２つの滑車１ａ，１ｂと、滑車１ａ，１ｂを回転自在に支持するフレーム２とを有している。両滑車１ａ，１ｂは、円柱状の磁石１２の両側面に鉄製の円板状の側板１３，１３を固着して外周に溝１４を形成してあり、中心に軸３ａ，３ｂを挿通して設けて軸３ａ，３ｂ回りに自由に回転するようにしている。上側の滑車の軸３ａは、フレーム２に固定して取付けてあり、下側の滑車の軸３ｂは、図２に示すように、フレーム２に形成した上下方向の長孔１５に取付けて、上下方向に若干動けるようにしてある。ロープ４は、上下の滑車３ａ，３ｂの溝１４間に通してある。
フレーム２は、ロープ４に紐１０が掛けてある側の、上下の滑車の軸３ａと軸３ｂの間の部分に開放部１６を設けてある。またフレーム２には、繋ぎ紐７の端部を係止する繋ぎ紐係止部８が、開放部１６を設けた側と反対側に張り出す形で設けてある。繋ぎ紐係止部８は、帯状の金属板を折り曲げて略直角三角形のリング状に形成してあり、その水平な下辺部８ａに、繋ぎ紐７の端部に取付けたナス環１７を係止している。下辺部８ａには、コイルバネ１８が挿通して取付けてあり、コイルバネ１８によりナス環１７を下側の滑車３ｂの下方位置に向けて付勢している。
ロープ４の直線部を走行している状態では、ロープ走行具５はほぼ垂直な姿勢に維持され、上下の滑車３ａ，３ｂが互いの側板１３の外周縁部で磁力により吸着した状態で回転するため、フレーム２に開放部１６が設けてあっても、ロープ走行具５がロープ４から外れることがない。なおロープ走行具５は、コイルバネ１８が無くても、下側の方が重いために略垂直な姿勢に維持されるが、コイルバネ１８がナス環１７を下側の滑車３ｂの下方位置に向けて付勢していることで、ロープ走行具５の姿勢がより安定する。
【００１６】
図１は、ロープ４の曲がり部１９を通過するときの状態を示しており、このときロープ走行具５は、繋ぎ紐７が引っ張られてナス環１７が下辺部８ａの先端側に向けてスライドするため、曲がり部１９のコーナーの内側に向けて傾く状態になる。ロープ４に掛けた紐１０は、上下の滑車１ａ，１ｂの間とフレーム２の開放部１６を通過する。このとき、下側の滑車１ｂが瞬間的に上側の滑車１ａから離れ、紐１０が通過するとすぐにまた吸着する。そのためロープ走行具５はロープ４の曲がり部１９を通過でき、ロープ４から外れることもない。ロープ走行具５は、垂直な姿勢のままでもロープ４の曲がり部１９を通過できるが、このように曲がり部１９のコーナーの内側に向けて傾くことで、ロープ走行具５がロープ４の曲がり部１９をよりスムーズに通過できると共に、ロープ走行具５がロープ４からより外れにくくなる。
【００１７】
本ロープ走行具５は、以上に述べた構成により、コの字形に曲げた状態に張ったロープ４の全長を走行できるので、犬６は広い範囲を自由に動き回ることができ、散歩に連れていかなくても運動不足になることがなく、係留によるストレスも和らげられる。
【００１８】
本発明は以上に述べた実施形態に限定されない。ロープの張り方は自由であり、例えばＬ字形や、多角形のエンドレス状に張ることもできる。ロープは、合成繊維を編成したものやビニール製のもの、ワイヤーロープ等、市販のロープを使用することができる。ロープを曲げるための紐の掛け方は自由であり、例えば紐の一端部をロープに結んで引っ張るようにしてもよい。滑車は、上下２つの滑車のうち何れか一方にだけ磁石を取付け、他方をこれに吸着する鉄製のものにすることもできる。繋ぎ紐係止部に取付ける付勢部材は、板バネや、ゴム等であってもよい。本発明の移動式係留装置は、犬以外の動物や、船等を係留するために利用することもできる。また本発明のロープ走行具は、移動式係留装置に用途が限定されるものではなく、例えば繋ぎ紐に何らかの物品を吊下げた状態でロープを走行させ、物品を運ぶために利用することもできる。
【図面の簡単な説明】
【００１９】
【図１】ロープの曲がり部を通過する際のロープ走行具の側面図である。
【図２】ロープの直線部を走行しているときのロープ走行具の正面図である。
【図３】ロープの直線部を走行しているときのロープ走行具の側面図である。
【図４】本発明の犬の移動式係留装置の全体構成を示す平面図である。
【符号の説明】
【００２０】
１ａ，１ｂ  滑車
２  フレーム
３ａ，３ｂ  滑車の軸  
４  ロープ
５  ロープ走行具
６  犬（係留対象）
７  繋ぎ紐
８  繋ぎ紐係止部
１０  ロープに掛けた紐
１２  磁石
１６  フレームの開放部
１８  コイルバネ（付勢部材）
【図１】
2007295810.tif 000003
【図２】
2007295810.tif 000004
【図３】
2007295810.tif 000005
【図４】
2007295810.tif 000006